(57)【要約】【課題】  シャッタとユニット化された撮像素子が搭載されたデジタル一眼レフカメラの撮影レンズユニットを提案すること。【解決手段】  デジタル一眼レフカメラ１は、カメラ本体２と、カメラ本体２にレンズマウント３を介して着脱自在に取り付けられた交換式の撮影レンズユニット４を有している。撮影レンズユニット４には撮像素子９が搭載されている。従って、撮影レンズユニット４のレンズ光学系４１の光軸Ｌに対する撮像素子９の撮像面位置がずれることがない。また、撮像素子９は、前方のシャッタ８と共にユニット化され、撮影レンズユニット４に対して着脱可能である。従って、交換レンズ群の焦点距離や使用目的などに合わせて撮像素子９を交換することができる。また、撮像素子９はシャッタ８を含めてユニット化されているので、当該撮像ユニット１０の交換の際に撮像素子９の撮像面９１に埃が付着してしまうことはない。【選択図】  図２
2005197882.tif 000002
【特許請求の範囲】
【請求項１】
カメラ本体と、
前記カメラ本体にレンズマウントを介して着脱自在に取り付けられた交換式の撮影レンズユニットとを有し、
前記撮影レンズユニットは、被写体を撮像するための撮像素子と、前記撮像素子の前方に配置したシャッタを備え、
前記カメラ本体は、被写体像を観察するためのファインダと、前記撮像素子で撮像した被写体像を表示可能な表示手段とを備え、
前記撮像素子および前記シャッタは、前記撮影レンズユニットに対して、着脱可能な状態で取り付けられた撮像ユニットであるデジタル一眼レフカメラ。
【請求項２】
請求項１において、
前記撮像素子は、少なくとも前記撮影レンズユニットのレンズ光学系の光軸方向に移動可能であるデジタル一眼レフカメラ。
【請求項３】
請求項１または２において、
前記撮像素子は、チルト方向に移動可能であるデジタル一眼レフカメラ。
【請求項４】
請求項１または３のいずれかにおいて、
前記ファインダは、液晶ファインダであり、
前記表示手段は、前記液晶ファインダの内部に構成された液晶モニタを含んでいるデジタル一眼レフカメラ。
【請求項５】
請求項１または４のいずれかにおいて、
前記シャッタは、透明状態と遮光状態とを切り替え可能な電気光学パネルを含んでいるデジタル一眼レフカメラ。
【請求項６】
請求項１ないし５のいずれかにおいて、
前記カメラ本体に取り付けた通信用接続端子と、
前記撮影レンズユニットに取り付けた通信用接続端子とを有し、
前記撮影レンズユニットを前記カメラ本体に装着すると、前記通信用接続端子が相互に接続されて通信可能になるデジタル一眼レフカメラ。
【請求項７】
請求項１ないし６のいずれかにおいて、
前記カメラ本体は、前記撮像素子で撮像した画像を外部に出力するための外部出力用端子を備えているデジタル一眼レフカメラ。
【請求項８】
カメラ本体のレンズマウントに着脱可能な状態で取り付けられるデジタル一眼レフカメラの撮影レンズユニットであって、
被写体を撮像するための撮像素子と、この撮像素子の前方に配置されたシャッタとを有し、
前記撮像素子および前記シャッタは着脱可能に取り付けられた撮像ユニットであるデジタル一眼レフカメラの撮影レンズユニット。
【請求項９】
請求項８において、
前記撮像素子は、少なくとも光軸方向に移動可能であるデジタル一眼レフカメラの撮影レンズユニット。
【請求項１０】
請求項８または９において、
前記撮像素子は、チルト方向に移動可能であるデジタル一眼レフカメラの撮影レンズユニット。
【請求項１１】
請求項８ないし９のいずれかにおいて、
前記シャッタは、透明状態と遮光状態とを切り替え可能な電気光学パネルを含んでいるデジタル一眼レフカメラの撮影レンズユニット。
【請求項１２】
請求項８ないし１１のいずれかにおいて、
前記カメラ本体に取り付けると当該カメラ本体の側に設けられた通信用接続端子に接続された状態になる通信用接続端子を有しているデジタル一眼レフカメラの撮影レンズユニット。
【発明の詳細な説明】
【技術分野】
【０００１】
本発明は、デジタル一眼レフカメラに関し、特に、カメラ本体に着脱可能な状態で装着して使用される交換式の撮影レンズユニットに関するものである。
【背景技術】
【０００２】
一眼レフカメラは、撮影レンズを接写レンズや望遠レンズなどへ自由に切り替え可能なレンズ交換式となっているので、その便利性から報道、芸術、趣味、産業などの様々な分野で活用されている。銀塩フィルムを使用したアナログ式の一眼レフカメラでは、銀塩フィルムに撮影した画像が、撮影者の意図通りに撮影されているかはフィルムを現像してみるまでは分からない。そこで、この銀塩フィルムの代わりにＣＣＤ撮像素子などの撮像素子を用いて、ＣＣＤ撮像素子に撮像した被写体像を液晶モニタなどに表示することにより、その画像を撮影者が確認することができるデジタル一眼レフカメラが提案されている（例えば、特許文献１）。
【０００３】
この種のデジタル一眼レフカメラは、図５に示すように、カメラ本体２ａと、その前面に取り付けたレンズマウント３に交換可能に装着された撮影レンズ４ａと、カメラ本体２ａの後面に装着され、撮影した画像を表示するための液晶モニタ５とを有している。カメラ本体２ａの内部には、撮影レンズ４ａから入射された被写体光を反射するミラー１１、シャッタ８、および撮像素子９が光路上にこの順に配置されている。ミラー１１は、回転軸３０を中心に回転可能に支持されている。ミラー１１の上方には、焦点板６５１、ペンタプリズム６５２、および接眼レンズ６５３から構成される光学ファインダ６５が配置されており、撮影レンズ４ａから入射される被写体光は、ミラー１１によって、その光軸Ｌが直角に折り曲げられて光学ファインダ６５に向けて導かれる。これにより、撮影者は接眼レンズ６５３を覗くことにより撮影範囲を確認することができる。
【特許文献１】２００２−２９０８２６号公報
【発明の開示】
【発明が解決しようとする課題】
【０００４】
このように構成したデジタル一眼レフカメラでは、撮影の際、ミラー１１は回転軸３０を中心に跳ね上がるので、撮影レンズ４ａから入射される被写体光は、シャッタ８を介して撮像素子９に入射する。撮像素子９の撮像面９１が、撮影レンズ４ａから入射される被写体光の光軸Ｌに対して垂直に配置されていないと、撮像面９１上に精度良く被写体光を合焦させることができない。また、撮影レンズ４ａには接写レンズなどの比較的軽量なものから超望遠レンズなどのように重量のあるものまである。したがって、撮影レンズ４ａを装着するレンズマウント３については、高い精度と剛性が要求されている。
【０００５】
また、撮影レンズ４ａをカメラ本体２ａに装着する際、レンズマウント３からカメラ本体２ａの内部に埃が侵入し、その埃が帯電して撮像素子９に付着してしまうという問題がある。
【０００６】
さらに、光学ファインダ６５を採用する場合、撮影レンズ４ａと撮像素子９の間には、光学ファインダ６５に被写体光を導くためのミラー１１が配置される。このため、撮影レンズ４ａの設計には、ミラー１１のスペース分を考慮したレンズ設計が必要となる。撮影レンズ４ａの中でも特に広角レンズは、そのスペースが広くなるほど設計の際の制約が多くなるので、レンズ設計には多大な時間および費用を要している。
【０００７】
本発明の課題は、上記の問題を解消可能なデジタル一眼レフカメラを提案することにある。
【課題を解決するための手段】
【０００８】
上記の課題を解決するために、本発明のデジタル一眼レフカメラは、
カメラ本体と、
前記カメラ本体にレンズマウントを介して着脱自在に取り付けられた交換式の撮影レンズユニットとを有し、
前記撮影レンズユニットは、被写体を撮像するための撮像素子と、前記撮像素子の前方に配置したシャッタを備え、
前記カメラ本体は、被写体像を観察するためのファインダと、前記撮像素子で撮像した被写体像を表示可能な表示手段とを備え、
前記撮像素子および前記シャッタは、前記撮影レンズユニットに対して、着脱可能な状態で取り付けられた撮像ユニットであることを特徴としている。
【０００９】
ここで、前記撮像素子は、少なくとも前記撮影レンズユニットのレンズ光学系の光軸方向に移動可能であることが望ましい。このように構成すると、例えば、オートフォーカシングを、レンズと撮像素子との双方を駆動させることによって瞬時に終わらせることができる。また、撮影レンズユニットにおけるレンズ設計の制約を減らすこともできる。
【００１０】
さらに、前記撮像素子は、チルト方向に移動可能であることが望ましい。このように構成すると、撮影レンズユニットのレンズのゆがみに起因する光軸のずれを修正することができるので、撮像素子の撮像面を、撮影レンズユニットのレンズ光学系から入射される被写体光の光軸に対して確実に垂直にすることができる。また、撮像素子をチルト方向に移動可能に構成することによって、撮影の際の手ぶれを補正することもできる。
【００１１】
また、前記ファインダは、液晶ファインダであり、前記表示手段は、前記液晶ファインダの内部に構成された液晶モニタを含んでいる。このため、光学ファインダを採用した従来のデジタル一眼レフカメラとは異なり、撮影レンズ光学系と撮像素子との間にはミラーが不要である。よって、ミラーのスペース分、小型でコンパクトにデジタル一眼レフカメラを構成することができる。また、撮影レンズユニットにおいて、ミラーのスペース分を考慮したレンズ設計が不要となる。このため、安価に、かつ、光学特性に優れた撮影レンズユニットを製造できる。
【００１２】
さらに、前記シャッタは、例えば、透明状態と遮光状態とを切り替え可能な電気光学パネルから構成することができる。
【００１３】
さらには、本発明では、前記カメラ本体には通信用接続端子が取り付けられ、撮影レンズユニットにも通信用接続端子が取り付けられ、前記撮影レンズユニットを前記カメラ本体に装着すると、前記通信用接続端子が相互に接続されて通信可能になる。このため、例えば、カメラ本体と撮影レンズユニットとをケーブルなどを介して接続することも可能であるため、カメラのデザインの自由度をさらに広げることができる。
【００１４】
さらにまた、前記カメラ本体は、前記撮像素子で撮像した画像を外部に出力するための外部出力用端子を備えていることが望ましい。このように構成すると、例えば、カメラ本体とパソコンとをケーブルなどを介して接続することで、撮影の際には、ファインダを覗いてではなく、パソコンのモニタに映し出された画像を見てピントを合わせることも可能になる。
【発明の効果】
【００１５】
本発明のデジタル一眼レフカメラでは、カメラ本体に装着される交換式の撮影レンズユニットに撮像素子が搭載され、撮影レンズユニットの交換時には撮像素子が撮影レンズ光学系と共に交換される。したがって、撮像素子がカメラ本体の内部に配置されている従来のデジタル一眼レフカメラとは異なり、撮影レンズユニットの交換時に撮影レンズ光学系の光軸に対して撮像素子撮像面の位置がずれてしまうことがない。また、撮像素子が撮影レンズユニットの内部に配置されているので、撮影レンズユニットの交換の際、レンズマウントからカメラ本体の内部に埃が侵入したとしても、その埃が撮像素子の撮像面に付着することがない。
【００１６】
さらに、本発明では、撮像素子およびシャッタは、ユニット化され、撮影レンズユニットに対して、着脱可能な状態で取り付けられているので、交換レンズ群の焦点距離や使用目的などに合わせて撮像素子を交換することができる。また、撮像素子はシャッタを含めてユニット化されているので、当該撮像ユニットの交換の際に撮像素子撮像面に埃が付着してしまうことはない。
【発明を実施するための最良の形態】
【００１７】
以下に、図面を参照して、本発明を適用したデジタル一眼レフカメラの一例を説明する。
【００１８】
図１（ａ）および（ｂ）は、本発明に係るデジタル一眼レフカメラの概略平面図および概略背面図である。図２（ａ）および（ｂ）は、図１のデジタル一眼レフカメラの光学系を示す概略構成図およびカメラ本体から撮影レンズユニットを取り外した状態の光学系を示す概略構成図である。デジタル一眼レフカメラ１は、例えば、３５ｍｍデジタル一眼レフカメラであり、カメラ本体２と、その内部に構成されたレンズマウント３に交換可能に装着された撮影レンズユニット４と、カメラ本体２の背面に嵌め込まれた液晶モニタ５（表示手段）と、カメラ本体２の上面部分に装着された液晶ファインダ６とを有している。
【００１９】
カメラ本体２の背面において、液晶モニタ５の左側には、電源ボタン、撮影モードボタン、決定ボタンなどの操作ボタン２１が配置され、液晶モニタ５の右側には、モードの選択などを行う選択ボタン２２、開閉蓋６０が配置されている。開閉蓋６０を開くとそこには撮影した画像を外部に出力するための外部出力用端子（図示せず）が配置されている。また、カメラ本体２の上面には、シャッタ速度設定用のＴｖダイヤル２３、絞り調整用のＡｖダイヤル２４、レリーズボタン２５、および各種設定値やモードを確認するための表示窓２６が配置されている。さらに、カメラ本体２のレンズマウント３には、本体側接点部１３（通信用接続端子）が取り付けられ、撮影レンズユニット４において本体側接点部１３と対応する部分には、レンズ側接点部分１４（通信用接続端子）が取り付けられている。撮影レンズユニット４をカメラ本体に装着すると、これらの間が電気的に接続されて双方の間で情報の伝達が可能な状態になる。
【００２０】
撮影レンズユニット４の内部には、正レンズや負レンズなどの複数のレンズからなるレンズ光学系４１、および絞り機構７が配置され、さらに、それらの後方の部位にはシャッタ８および撮像素子９も配置されている。撮像素子９の撮像面９１は、レンズ光学系４１の光軸（入射される被写体光の光軸）Ｌに対して垂直に配置されている。本例では、撮像素子９が撮影レンズユニット４に搭載されているので、撮影レンズユニット４をカメラ本体２に装着した際、レンズマウント３の精度および剛性に関係なく、撮像面９１は光軸Ｌに対して垂直である。さらに、カメラ本体２のレンズマウント３には、本体側接点部１３（通信用接続端子）が取り付けられ、撮影レンズユニット４において本体側接点部１３と対応する部分には、レンズ側接点部１４（通信用接続端子）が取り付けられている。撮影レンズユニット４をカメラ本体２に装着すると、これらの間が電気的に接続されて双方の間で情報の伝達が可能な状態になる。
【００２１】
ここで、本例において、撮像素子９およびシャッタ８は、ユニット化されており、撮影レンズユニット４の内部に構成されたユニット収納部７０に対して、着脱可能な状態で取り付けられている。この撮像ユニット１０には、上述のレンズ側接点部１４の他に通信用撮像ユニット接点部１５が取り付けられ、撮影レンズユニット４において通信用接点部１５と対応する部分には、通信用接点部１６が取り付けられている。撮像ユニット１０を撮影レンズユニット４に装着すると、これらの間が電気的に接続されて双方の間で情報の伝達が可能な状態になる。
【００２２】
また、撮像ユニット１０は、撮像素子９を光軸Ｌ方向（フォーカシング方向）およびチルト方向に移動させる駆動機構１８を備えている。駆動機構１８は、例えば、撮像素子９の側に搭載されたフォーカシング用およびチルト用の２種の駆動コイルと、これら２種の駆動コイルとフォーカシング用およびチルト用の磁気駆動回路を構成する駆動マグネットとから構成されている。
【００２３】
レンズ光学系４１は、フォーカス調整を行うための駆動機構３１を備えている。絞り機構７は、その開口調整を行うための駆動機構３３を備えている。各駆動機構３１、３３としては、周知の構成のものを採用することができる。例えば、駆動機構３１、３３は、ステッピングモータと、その回転軸に取り付けられたピニオンに接続された減速歯車列とから構成されている。
【００２４】
ここで、本例のデジタル一眼レフカメラ１では、電源がオンの状態になると、シャッタ８の露光開口が全開になるように設定されている。このため、レンズ光学系４１に入射した被写体光は、シャッタ８を介して撮像素子９に導かれることになる。それ故、撮影者は、液晶ファインダ６を覗き込むことにより、その内部の小型液晶モニタ６１に映し出された被写体像を接眼レンズ６２を介して観察することができる。また、その画像は、カメラ本体２の後面の液晶モニタ５でも観察することができる。
【００２５】
図３は、本例のデジタル一眼レフカメラ１の制御系を示す概略ブロック図である。デジタル一眼レフカメラ１の制御系はマイクロコンピュータからなるカメラ本体側の制御装置２０を中心に構成されている。制御装置２０はＣＰＵ２０１、ＲＯＭ２０２、およびＲＡＭ２０３を備え、ＲＯＭ２０２内に格納されている制御プログラムを実行することにより、各種の撮影モードで撮影を行うことが可能となっている。ＲＡＭ２０３は、画像処理前の画像データなどを一次的に記憶するメモリである。
【００２６】
制御装置２０の入力側には、操作ボタン２１、レリーズボタン２５、Ｔｖダイヤル２４、Ａｖダイヤル２３が接続され、その出力側には、液晶表示器などからなる表示窓２６、液晶モニタ５、液晶ファインダ６の小型液晶モニタ６１、および最終的に確定された画像を記憶するためのメモリカード４０が接続されている。メモリカード４０は、カメラ本体２の所定部位に着脱自在に装着されている。また、制御装置２１の入出力側には本体側接点部１３が接続されている。
【００２７】
交換式レンズである撮影レンズユニット４の側にもレンズ側制御装置３０が搭載されており、この制御装置３０もマイクロコンピュータを中心に構成されている。制御装置３０は撮像ユニット１０の側に搭載されている。制御装置３０の入出力側にはレンズ側接点部１４、通信用接点部１５が接続されており、制御装置３０は、この通信用接点部１５に接続された通信用接点部１６を介してレンズ光学系４１と絞り機構７とのデータの送受が可能になっている。このため、制御装置３０の出力側には、ドライバ１９を介して撮像素子９の駆動機構１８、およびシャッタ８が接続されている他に、モータドライバ３２を介してレンズ光学系４１のフォーカスモータ３１、およびモータドライバ３４を介して絞り機構７の絞りモータ３３も接続されている。また、制御装置３０の入力側には撮像素子９が接続されている。なお、レンズ光学系４１および絞り機構７の側に搭載されているＲＯＭ５０には、レンズ光学系４１のレンズ特性（レンズのゆがみ等）の情報等が格納されている。
【００２８】
デジタル一眼レフカメラ１は、電源がオンの状態になると、制御装置３０は、ＲＯＭ５０に格納されているレンズ特性等の情報の取得を行い、この情報に基づいて撮像素子９をフォーカシング方向Ｆｏ、およびチルト方向Ｔｉに駆動させ、レンズのゆがみに起因する光軸Ｌのずれを修正する。しかる後に、シャッタ８が駆動して露光開口が全開になり、レンズ光学系４１に入射した被写体光は、シャッタ８を介して撮像素子９に導かれる。撮像素子９は画像データをレンズ側の制御装置３０に出力し、制御装置３０はその画像データを基にオートフォーカシング制御を行う。すなわち、制御装置３０は、フォーカシングモータ３１の駆動および画像データの取得を行い、これらの動作を繰り返すことによってオートフォーカシングを行う。また、画像データは、制御装置３０からレンズ側接点部１４および本体側接点部１３を介してカメラ本体側の制御装置２０に出力され、制御装置２０は、画像データを液晶モニタ５および液晶ファインダ６の小型液晶モニタ６１に出力する。これにより、画像の表示が行われる。
【００２９】
そして、レリーズボタン２５が押下されると、シャッタ８が一旦閉じた後に、Ｔｖダイヤル２３によって設定されたシャッタ速度でシャッタ８を駆動し、また、Ａｖダイヤル２４によって設定された絞り値となるように絞り機構の口径調整を行うことにより、設定された撮影モードによる撮影を実行する。すなわち、制御装置２０は、本体側接点部１３およびレンズ側接点部１４を介してレンズ側の制御装置３０にコマンドを送り、制御装置３０はコマンドを受け取ると、絞りモータ３３を駆動して、設定された絞り口径となるように絞り機構を絞り込む。撮影した画像は液晶モニタ５に表示され、その画像は、撮影者による操作ボタン２１の操作に応じてメモリカード４０に保存される。
【００３０】
以上説明したように、本例のデジタル一眼レフカメラ１では、カメラ本体２に装着される交換式の撮影レンズユニット４に撮像素子９が搭載され、撮影レンズユニット４の交換時には撮像素子９がレンズ光学系４１と共に交換される。従って、撮像素子がカメラ本体の内部に配置されていた従来のデジタル一眼レフカメラとは異なり、撮影レンズユニット４をカメラ本体２に装着した際、レンズマウント３の精度および剛性に関係なく、撮像素子９の撮像面９１は、撮影レンズユニット４のレンズ光学系４１の光軸Ｌに対して垂直である。よって、超望遠レンズなど重量のある撮影レンズユニット４をカメラ本体２に装着したとしても、被写体光を撮像面９１上に確実に合焦させることができる。
【００３１】
また、撮像素子９が撮影レンズユニット４の内部に配置されているので、撮影レンズユニット４の交換の際、レンズマウント３からカメラ本体２の内部に埃が侵入したとしても、その埃が撮像素子９の撮像面９１に付着することがない。
【００３２】
さらに、撮像素子９およびシャッタ８は、ユニット化され、撮影レンズユニット４に対して、着脱可能な状態で取り付けられているので、交換レンズ群の焦点距離や使用目的などに合わせて撮像素子９を交換することが可能である。ここで、撮像素子９はシャッタ７を含めてユニット化されているので、当該撮像ユニット１０の交換の際に撮像素子９の撮像面９１に埃が付着してしまうことはない。
【００３３】
また、撮像素子９は駆動機構１８によってフォーカシング方向Ｆｏおよびチルト方向Ｔｉに移動可能であるので、レンズ光学系４１のレンズのゆがみに起因する光軸のずれを修正することができる。それ故、撮像素子９の撮像面９１を、撮影レンズユニット４のレンズ光学系４１から入射される被写体光の光軸Ｌに対して確実に垂直にすることができる。
【００３４】
また、本例では、液晶ファインダ６を採用しているので、光学ファインダを採用した従来のデジタル一眼レフカメラとは異なり、撮影レンズユニット４のレンズ光学系４１と撮像素子９との間にはミラーが不要である。よって、ミラーのスペース分、小型でコンパクトにデジタル一眼レフカメラ１を構成することができる。また、撮影レンズユニット４において、ミラーのスペース分を考慮したレンズ設計が不要となる。このため、安価に、かつ、光学特性に優れた撮影レンズユニット４を製造できる。
【００３５】
さらに、液晶ファインダ６を採用することで、レンズマウント３をカメラ本体３の内部に構成することができるので、レンズマウント３の剛性を従来よりも高めることが可能である。一方、レンズマウント３の精度については従来ほど高くなくてもよいので、それを構成する部品のコストを低く抑えることができる。
【００３６】
さらには、カメラ本体２は、撮像素子９で撮像した画像を外部に出力するための外部出力用端子（図示せず）を備えている。したがって、撮影の際に、パソコンのモニタなどに映し出された画像を見てピントを合わせることもできるなど、汎用性が高い。
【００３７】
さらにまた、本例では、交換レンズ毎に、その焦点距離や使用目的などに合わせた撮像素子９（撮像ユニット１０）を用いることができる。ここで、撮像素子９は、高価なものであるため、交換レンズの単価が上がってしまうことになる。しかしながら、本例によれば、光学特性に優れた撮影レンズユニット４（レンズ光学系４１）を製造することができるので、交換レンズの本数を従来よりも減らすことが可能である。また、上述のように、レンズマウント３の部品コストを低く抑えることができるなど、撮影レンズユニット４以外の他の部分でもコストダウンを実現できる。よって、交換レンズの単価の上昇を、交換レンズの本数の削減、およびカメラ本体２などでのコストダウンによって十分に補うことができる。
【００３８】
（その他の実施の形態）
上記の例において、撮像素子９は、駆動機構１８によって光軸Ｌ方向（フォーカシング方向Ｆｏ）に移動可能であるので、オートフォーカシングの際、当該撮像素子９とレンズとの双方を同時に駆動させることによって、オートフォーカシングを瞬時に終わらせることも可能である。
【００３９】
また、撮像素子９は、駆動機構１８によってチルト方向Ｔｉにも移動可能であるので、撮影の際の手ぶれを、当該撮像素子９をチルト方向Ｔｉに駆動させることによって補正することも可能である。
【００４０】
また、カメラ本体２と撮影レンズユニット４とを、ケーブルなどを介して双方の間で情報の伝達ができるように構成すれば、カメラ１のデザインの自由度をさらに広げることが可能である。
【００４１】
さらに、シャッタ８として、例えば、透明状態と遮光状態とを切り替え可能な液晶パネル（電気光学パネル）などを用いることも可能である。液晶パネルとしては、周知のものを使用できるので、その詳細な説明は省略するが、一対の基板には各々、液晶を駆動するための透明電極が形成され、一対の基板間には液晶が保持されている。
【００４２】
さらには、シャッタ８を用いずに、撮像素子９が制御装置２０、３０からの露光開始および露光終了の信号を受けて被写体を撮影するように構成してもよい。この場合には、撮像ユニットの交換の際に、埃が撮像素子９の撮像面９１に付着するおそれがあるので、撮像ユニットの開口部分に透明なフィルムなどを貼り付けて埃の侵入を阻止すればよい。
【００４３】
さらにまた、上記の例は、３５ｍｍデジタル一眼レフカメラについてのものであるが、本発明は、図４に示すようなセミ版デジタル一眼レフカメラにも適用可能なことは勿論である。図４では図１の各部分に対応する部位に同一の符号を付してある。
【図面の簡単な説明】
【００４４】
【図１】（ａ）は本発明に係るデジタル一眼レフカメラの概略平面図であり、（ｂ）はその概略背面図である。
【図２】（ａ）は図１に示すデジタル一眼レフカメラの光学系を示す概略構成図であり、（ｂ）はカメラ本体から撮影レンズユニットを取り外した状態での光学系の概略構成図である。
【図３】本例のデジタル一眼レフカメラの制御系を示す概略ブロック図である。
【図４】（ａ）ないし（ｃ）は、デジタル一眼レフカメラの別の実施の形態を示す概略平面図、概略背面図、および概略右側面図である。
【図５】従来のデジタル一眼レフカメラの概略構成図である。
【符号の説明】
【００４５】
１  デジタル一眼レフカメラ
２  カメラ本体
３  レンズマウント
４  撮影レンズユニット
５  液晶モニタ（表示手段）
６  液晶ファインダ
７  絞り機構
８  シャッタ
９  撮像素子
１０  撮像ユニット
１３  本体側接点部（通信用接続端子）
１４  レンズ側接点部（通信用接続端子）
１５  通信用接点部
１６  通信用接点部
１８  駆動機構
２０  制御装置
３０  制御装置
４１  レンズ光学系
６１  小型液晶モニタ
９１  撮像素子の撮像面
Ｌ  被写体光の光軸
Ｆｏ  光軸方向（フォーカシング方向）
Ｔｉ  チルト方向
【図１】
2005197882.tif 000003
【図２】
2005197882.tif 000004
【図３】
2005197882.tif 000005
【図４】
2005197882.tif 000006
【図５】
2005197882.tif 000007